(57)【要約】【課題】  複数のＵＰＳが並列接続される場合における誤接続の検出が面倒であった。【解決手段】  第１及び第２のＵＰＳ６、１０に対して第１及び第２のＵＰＳ誤接続検出回路２５、２６が設けられている。第１及び第２のＵＰＳ誤接続検出回路２５、２６は、Ｒ相入力接続導体７Ｒ、１１Ｒの電圧を検出する交流入力検出手段と、交流入力検出信号がゼロを横切る時点を検出し、この時点でパルスを発生するパルス発生回路と、パルス検出回路とをそれぞれ有している。パルス検出回路は第１の誤接続検出回路２５のパルス発生回路に接続されていると共に共通接続導体２９を介して第２のＵＰＳ誤接続検出回路２６のパルス発生回路にも接続され、両方のパルス発生回路の出力パルスを検出する。パルス検出回路で検出されたパルスの個数に基づいて誤接続の有無を判定する誤接続判定手段が設けられている。【選択図】図１
2008048576.tif 000002
【特許請求の範囲】
【請求項１】
三相交流電源端子に複数の電源装置の入力接続導体を接続した時に誤接続が生じているか否かを検出する誤接続検出装置であって、
前記複数の電源装置の前記入力接続導体における選択された相又は線間の交流入力をそれぞれ検出するための複数の交流入力検出手段と、
前記複数の交流入力検出手段にそれぞれ接続され且つ前記複数の交流入力検出手段から得られたそれぞれの交流入力検出信号が所定値を横切る時にパルスをそれぞれ発生する機能を有している複数のパルス発生回路と、
前記複数のパルス発生回路の出力端子を共通に接続するための共通接続導体と、
前記共通接続導体に接続され且つ前記複数のパルス発生回路から同時にパルスが発生した時には１個のパルスを検出し、前記複数のパルス発生回路から異なる時間にパルスが発生した時には複数個のパルスを検出するパルス検出回路と、
前記パルス検出回路に接続され且つ前記交流入力の所定周期中に前記パルス検出回路で検出したパルスの個数が所定数よりも多いか否かを判定し、パルスの個数が前記所定数よりも多い時に誤接続を示す信号を出力する誤接続判定手段と
を備えていることを特徴とする誤接続検出装置。
【請求項２】
前記パルス検出回路は、前記複数の電源装置に対応して設けられ且つ前記共通接続導体にそれぞれ接続された複数のパルス検出回路から成り、前記誤接続判定手段は前記複数のパルス検出回路にそれぞれ接続された複数の誤接続判定手段から成ることを特徴とする請求項１記載の誤接続検出装置。
【請求項３】
前記パルス発生回路は、
前記交流入力検出手段に接続され且つゼロクロス検出機能とゼロクロス検出を示すパルスを形成する機能とを有しているゼロクロス検出及びパルス形成回路と、
前記ゼロクロス検出及びパルス形成回路に接続された発光素子と、
前記発光素子に光結合された受光素子と、
直流電源端子に接続された第１の主端子と前記共通接続導体に接続された第２の主端子と前記受光素子に接続された制御端子とを有し、前記受光素子から得られた出力に応答して導通する制御素子と
から成ることを特徴とする請求項１又は２記載の誤接続検出装置。
【請求項４】
前記パルス検出回路は、前記共通接続導体とグランドとの間に接続されたパルス検出用発光素子と、前記パルス検出用発光素子に光結合され且つグランドに接続された第１の主端子と抵抗を介して直流電源に接続された第２の主端子とを有するパルス検出用受光素子と、
前記パルス検出用受光素子の前記第２の主端子と前記抵抗との間に接続されたパルス検出用出力導体と
から成ることを特徴する請求項３記載の誤接続検出装置。
【請求項５】
前記誤接続判定手段は、
前記交流入力の所定周期を示すクロックを発生するクロック発生器と、
前記パルス検出回路の前記パルス検出用出力導体に接続された入力端子と前記クロック発生器に接続されたリセット端子とを有し、前記所定周期中に前記入力端子に入力したパルスを計数するカウンタと、
前記カウンタが所定数を計数した時に誤接続を示す信号を出力する出力手段と、
から成ることを特徴とする請求項４記載の誤接続検出装置。
【請求項６】
前記複数の電源装置は、複数の無停電電源装置であることを特徴とする請求項１乃至５のいずれか１つに記載の誤接続検出装置。
【請求項７】
三相交流電源端子に複数の無停電電源装置の入力接続導体を接続した時に誤接続が生じているか否かを検出する第１の誤接続検出装置と三相交流電源端子に複数のバイパス供給装置の入力接続導体を接続した時に誤接続が生じているか否かを検出する第２の誤接続検出装置とを有し、
前記第１及び第２の誤接続検出装置のそれぞれは、複数の交流入力検出手段と、前記複数の交流入力検出手段にそれぞれ接続され且つ前記複数の交流入力検出手段から得られたそれぞれの交流入力検出信号が所定値を横切る時にパルスをそれぞれ発生する機能を有している複数のパルス発生回路と、前記複数のパルス発生回路の出力端子を共通に接続するための共通接続導体と、前記共通接続導体に接続され且つ前記複数のパルス発生回路から同時にパルスが発生した時には１個のパルスを検出し、前記複数のパルス発生回路から異なる時間にパルスが発生した時には複数個のパルスを検出するパルス検出回路と、前記パルス検出回路に接続され且つ前記交流入力の所定周期中に前記パルス検出回路で検出したパルスの個数が所定数よりも多いか否かを判定し、パルスの個数が前記所定数よりも多い時に誤接続を示す信号を出力する誤接続判定手段とを備え、
前記第１の誤接続検出装置の前記複数の交流入力検出手段は前記複数の無停電電源装置の前記入力接続導体における選択された相又は線間の交流入力をそれぞれ検出するために前記複数の無停電電源装置の前記入力接続導体に接続され、
前記第２の誤接続検出装置の前記複数の交流入力検出手段は前記複数のバイパス供給装置の前記入力接続導体における選択された相又は線間の交流入力をそれぞれ検出するために前記複数のバイパス供給装置の前記入力接続導体に接続されていることを特徴とする誤接続検出装置。
【請求項８】
三相交流電源端子に複数の電源装置の入力接続導体を接続した時に相順の誤接続が生じているか否かを検出する複数の相順誤接続検出手段と、相回転の誤接続が生じているか否かを検出する複数の相回転誤接続検出手段と、前記相順誤接続検出手段から相順が正常であることを示す信号が発生し且つ前記相回転誤接続検出手段から相回転が正常であることを示す信号が発生している時に正常接続を示す信号を発生し、前記相順誤接続検出手段から相順が異常であることを示す信号が発生している時又は前記相回転誤接続検出手段から相回転が異常であることを示す信号が発生している時に誤接続を示す信号を発生する複数の誤接続判定手段とを備えた誤接続検出装置であって、前記相回転誤接続検出手段が、
前記複数の電源装置の前記入力接続導体における選択された相又は線間の交流入力をそれぞれ検出するための複数の交流入力検出手段と、
前記複数の交流入力検出手段にそれぞれ接続され且つ前記複数の交流入力検出手段から得られたそれぞれの交流入力検出信号が所定値を横切る時にパルスをそれぞれ発生する機能を有している複数のパルス発生回路と、
前記複数のパルス発生回路の出力端子を共通に接続するための共通接続導体と、
前記共通接続導体に接続され且つ前記複数のパルス発生回路から同時にパルスが発生した時には１個のパルスを検出し、前記複数のパルス発生回路から異なる時間にパルスが発生した時には複数個のパルスを検出する複数のパルス検出回路と、
前記複数のパルス検出回路にそれぞれ接続され且つ前記交流入力の所定周期中にそれぞれのパルス検出回路で検出したパルスの個数が所定数よりも多いか否かをそれぞれ判定し、パルスの個数が前記所定数よりも多い時に相回転誤接続を示す信号を出力する複数の相回転誤接続判定手段と
を備えていることを特徴とする誤接続検出装置。
【発明の詳細な説明】
【技術分野】
【０００１】
本発明は無停電電源装置（以下、単にＵＰＳと言うこともある。）等の電源装置の交流電源端子に対する誤接続検出装置に関する。
【背景技術】
【０００２】
情報化社会の発展に伴い、停電の許されない負荷が増加している。このような負荷に対して、無停電で電力を供給するために商用電源と負荷の間にバッテリを備えた無停電電源装置（ＵＰＳ）が接続される。
【０００３】
ところで、負荷の容量増大に伴い、無停電電源装置単体では電源容量が足りなくなり、複数台の無停電電源装置を並列に接続したい場合がある。この様な場合において、追加した無停電電源装置の交流電源端子に対する誤接続が生じると、複数台の無停電電源装置の並列運転が不可能になるおそれがある。例えば、無停電電源装置の出力段のインバータが無停電電源装置の入力接続導体の電圧位相を基準に駆動される場合において誤接続が生じると、複数台のインバータの並列運転が不可能になる。
【０００４】
上記の誤接続による問題は、無停電電源装置に対して並列的にバイパス給電装置が設けられている場合においても生じる。また、上記問題は複数台の無停電電源装置に対してそれぞれバイパス給電装置が設けられている場合においても生じる。
また、常時商用給電装置と無停電電源装置との両方を設け、商用交流電源の停電時に無停電電源装置から負荷に電力を供給する場合にも上記の誤接続による問題は生じる。
【０００５】
三相交流電源に対する誤接続を検出するために、Ｒ−Ｓ相間電圧により作動する第１のホトカプラと、Ｒ−Ｔ相間電圧により作動する第２のホトカプラとを設け、第１及び第２のホトカプラの出力に基づいて誤接続を検出する方法が実開平３−１０６８３８号公報（特許文献１）に開示されている。しかし、この特許文献は、複数の電源装置の誤接続を同時に検出することができない。
また、三相交流電源に対して無停電電源装置を接続した時に生じる相順誤接続を検出する方法が知られている。この相順誤接続検出方法では、三相交流電圧を方形波に整形し、第１、第２、及び第３相交流電圧に対応する方形波が三相交流の特定位相角において論理の１か又は論理の０かに基づいて相順が正常か異常かを検出する。しかし、この相順誤接続検出方法では三相交流の相回転の誤接続を検出することができない。
【特許文献１】実開平３−１０６８３８号公報
【発明の開示】
【発明が解決しようとする課題】
【０００６】
従って、本発明が解決しようとする課題は、従来方法によって複数の電源装置の交流電源端子に対する誤接続の容易な検出が不可能なことであり、本発明の目的は、交流入力電源端子に対する複数の電源装置の誤接続を比較的簡単な構成で検出することができる誤接続検出装置を提供することにある。
【課題を解決するための手段】
【０００７】
上記課題を解決するための本発明は、三相交流電源端子に複数の電源装置の入力接続導体を接続した時に誤接続が生じているか否かを検出する誤接続検出装置であって、
前記複数の電源装置の前記入力接続導体における選択された相（例えばＲ相）又は線間（例えばＲ―Ｓ間）の交流入力即ち交流入力電圧又は交流入力電流をそれぞれ検出するための複数の交流入力検出手段と、
前記複数の交流入力検出手段にそれぞれ接続され且つ前記複数の交流入力検出手段から得られたそれぞれの交流入力検出信号が所定値を横切る時にパルスをそれぞれ発生する機能を有している複数のパルス発生回路と、
前記複数のパルス発生回路の出力端子を共通に接続するための共通接続導体と、
前記共通接続導体に接続され且つ前記複数のパルス発生回路から同時にパルスが発生した時には１個のパルスを検出し、前記複数のパルス発生回路から異なる時間にパルスが発生した時には複数個のパルスを検出するパルス検出回路と、
前記パルス検出回路に接続され且つ前記交流入力の所定周期中に前記パルス検出回路で検出したパルスの個数が所定数よりも多いか否かを判定し、パルスの個数が前記所定数よりも多い時に誤接続を示す信号を出力する誤接続判定手段と
を備えていることを特徴とする誤接続検出装置に係わるものである。
【０００８】
なお、請求項２に示すように、前記パルス検出回路は、前記複数の電源装置に対応して設けられ且つ前記共通接続導体にそれぞれ接続された複数のパルス検出回路から成り、前記誤接続判定手段は前記複数のパルス検出回路にそれぞれ接続された複数の誤接続判定手段から成ることが望ましい。
また、請求項３に示すように、前記パルス発生回路は、前記交流入力検出手段に接続され且つゼロクロス検出機能とゼロクロス検出を示すパルスを形成する機能とを有しているゼロクロス検出及びパルス形成回路と、前記ゼロクロス検出及びパルス形成回路に接続された発光素子と、前記発光素子に光結合された受光素子と、直流電源端子に接続された第１の主端子と前記共通接続導体に接続された第２の主端子と前記受光素子に接続された制御端子とを有し、前記受光素子から得られた出力に応答して導通する制御素子とから成ることが望ましい。
また、請求項４に示すように、前記パルス検出回路は、前記共通接続導体とグランドとの間に接続されたパルス検出用発光素子と、前記パルス検出用発光素子に光結合され且つグランドに接続された第１の主端子と抵抗を介して直流電源に接続された第２の主端子とを有するパルス検出用受光素子と、前記パルス検出用受光素子の前記第２の主端子と前記抵抗との間に接続されたパルス検出用出力導体とから成ることが望ましい。
また、請求項５に示すように、前記誤接続判定手段は、前記交流入力の所定周期を示すクロックを発生するクロック発生器と、前記パルス検出回路の前記パルス検出用出力導体に接続された入力端子と前記クロック発生器に接続されたリセット端子とを有し、前記所定周期中に前記入力端子に入力したパルスを計数するカウンタと、前記カウンタが所定数を計数した時に誤接続を示す信号を出力する出力手段とから成ることが望ましい。
また、請求項６に示すように、前記複数の電源装置は、複数の無停電電源装置であることが望ましい。
また、請求項７に示すように、三相交流電源端子に複数の無停電電源装置の入力接続導体を接続した時に誤接続が生じているか否かを検出する第１の誤接続検出装置と三相交流電源端子に複数のバイパス供給装置の入力接続導体を接続した時に誤接続が生じているか否かを検出する第２の誤接続検出装置とを有し、前記第１及び第２の誤接続検出装置のそれぞれは、複数の交流入力検出手段と、前記複数の交流入力検出手段にそれぞれ接続され且つ前記複数の交流入力検出手段から得られたそれぞれの交流入力検出信号が所定値を横切る時にパルスをそれぞれ発生する機能を有している複数のパルス発生回路と、前記複数のパルス発生回路の出力端子を共通に接続するための共通接続導体と、前記共通接続導体に接続され且つ前記複数のパルス発生回路から同時にパルスが発生した時には１個のパルスを検出し、前記複数のパルス発生回路から異なる時間にパルスが発生した時には複数個のパルスを検出するパルス検出回路と、前記パルス検出回路に接続され且つ前記交流入力の所定周期中に前記パルス検出回路で検出したパルスの個数が所定数よりも多いか否かを判定し、パルスの個数が前記所定数よりも多い時に誤接続を示す信号を出力する誤接続判定手段とを備え、前記第１の誤接続検出装置の前記複数の交流入力検出手段は前記複数の無停電電源装置の前記入力接続導体における選択された相又は線間の交流入力をそれぞれ検出するために前記複数の無停電電源装置の前記入力接続導体に接続され、前記第２の誤接続検出装置の前記複数の交流入力検出手段は前記複数のバイパス供給装置の前記入力接続導体における選択された相又は線間の交流入力をそれぞれ検出するために前記複数のバイパス供給装置の前記入力接続導体に接続されていることが望ましい。
また、請求項８に示すように、誤接続検出装置は、三相交流電源端子に複数の電源装置の入力接続導体を接続した時に相順の誤接続が生じているか否かを検出する複数の相順誤接続検出手段と、相回転の誤接続が生じているか否かを検出する複数の相回転誤接続検出手段と、前記相順誤接続検出手段から相順が正常であることを示す信号が発生し且つ前記相回転誤接続検出手段から相回転が正常であることを示す信号が発生している時に正常接続を示す信号を発生し、前記相順誤接続検出手段から相順が異常であることを示す信号が発生している時又は前記相回転誤接続検出手段から相回転が異常であることを示す信号が発生している時に誤接続を示す信号を発生する複数の誤接続判定手段とを備え、前記相回転誤接続検出手段が、前記複数の電源装置の前記入力接続導体におけるにおける選択された相（例えばＲ相）又は線間（例えばＲ―Ｓ間）の交流入力をそれぞれ検出するための複数の交流入力検出手段と、前記複数の交流入力検出手段にそれぞれ接続され且つ前記複数の交流入力検出手段から得られたそれぞれの交流入力検出信号が所定値を横切る時にパルスをそれぞれ発生する機能を有している複数のパルス発生回路と、前記複数のパルス発生回路の出力端子を共通に接続するための共通接続導体と、前記共通接続導体に接続され且つ前記複数のパルス発生回路から同時にパルスが発生した時には１個のパルスを検出し、前記複数のパルス発生回路から異なる時間にパルスが発生した時には複数個のパルスを検出する複数のパルス検出回路と、前記複数のパルス検出回路にそれぞれ接続され且つ前記交流入力の所定周期中にそれぞれのパルス検出回路で検出したパルスの個数が所定数よりも多いか否かをそれぞれ判定し、パルスの個数が前記所定数よりも多い時に相回転誤接続を示す信号を出力する複数の相回転誤接続判定手段とを備えていることが望ましい。
【発明の効果】
【０００９】
本発明においては、複数の入力検出手段から得られる選択された相又は線間の交流入力検出信号が所定値（例えばゼロ）を横切るときにパルスを発生する機能を有している複数のパルス発生回路が設けられ、複数のパルス発生回路の出力端子が共通接続導体で相互に接続され、更に、共通接続導体にパルス検出回路が接続されている。従って、パルス検出回路は、複数のパルス発生回路から同時にパルスが発生した時には１つのパルスを検出し、複数のパルス発生回路から異なる時間にパルスが発生した時には複数のパルスを検出する。即ち、もし、複数の電源装置の全てが正常接続されていれば、複数のパルス発生回路から同時にパルスが発生するので、パルス検出回路は１個のパルスを検出する。もし、複数の電源装置の１つにおいて相回転誤接続が発生しているか、又は選択された相又は線間に対応する入力接続導体の誤接続が発生している場合には、複数のパルス発生回路から異なる時間位置でパルスが発生するので、パルス検出回路は複数個のパルスを検出する。従って、検出パルスの個数で異常（誤接続）を知ることができる。よって、本発明によれば複数の電源装置の交流電源端子に対する異なる接続即ち誤接続を共通接続導体を使用して容易に検出することが可能になる。
【発明を実施するための最良の形態】
【００１０】
次に、図１〜図１１を参照して本発明の実施形態を説明する。
【実施例１】
【００１１】
図１に示す電力供給装置は、ＵＰＳ用Ｒ相、Ｓ相及びＴ相電源端子１Ｒ、１Ｓ、１Ｔと、バイパス給電用Ｒ相、Ｓ相、及びＴ相電源端子２Ｒ、２Ｓ、２Ｔと、第１及び第２の電源装置３ａ、３ｂと、Ｒ相、Ｓ相、及びＴ相出力端子４Ｒ、４Ｓ、４Ｔとを有し、共通の負荷５に第１及び第２の電源装置３ａ、３ｂの両方で電力を供給するように構成されている。
【００１２】
UPS用Ｒ相、Ｓ相、及びＴ相電源端子１Ｒ、１Ｓ、１Ｔ及びバイパス給電用Ｒ相、Ｓ相、及びＴ相電源端子２Ｒ、２Ｓ、２Ｔは、図示が省略されている三相商用交流電源に接続され、互いに１２０度の位相差を有する三相交流電圧を供給する。
【００１３】
第１の電源装置３ａに含まれている第１の無停電電源装置即ち第１のUPS６は、第１のUPS用Ｒ相、Ｓ相、及びＴ相入力接続導体７Ｒ、７Ｓ、７ＴによってUPS用Ｒ相、Ｓ相、及びＴ相電源端子１Ｒ、１Ｓ、１Ｔに接続されている。第１のUPS６から導出されている第１のUPS用Ｒ相、Ｓ相、及びＴ相出力導体８Ｒ、８Ｓ、８Ｔは、スイッチ９を介してＲ相、Ｓ相、及びＴ相出力端子４Ｒ、４Ｓ、４Ｔに接続されている。
【００１４】
第２の電源装置３ｂに含まれている第２の無停電電源装置即ち第２のＵＰＳ１０は、第２のUPS用Ｒ相、Ｓ相、及びＴ相入力接続導体１１Ｒ、１１Ｓ、１１ＴによってUPS用Ｒ相、Ｓ相、及びＴ相電源端子１Ｒ、１Ｓ、１Ｔに接続されている。第２のUPS１０から導出された第２のＵＰＳ用Ｒ相、Ｓ相、及びＴ相出力導体１２Ｒ、１２Ｓ、１２Ｔはスイッチ１６を介してＲ相、Ｓ相、及びＴ相出力端子４Ｒ、４Ｓ、４Ｔに接続されている。従って、第２のUPS１０は第１のUPS６に対して並列に接続されている。
【００１５】
第１及び第２のUPS６、１０は、互いに同一形成されており、例えば図２に示すようにＡＣ−ＤＣ変換器１３、蓄電池１４及びＤＣ−ＡＣ変換器（インバータ）１５とで構成される。ＡＣ−ＤＣ変換器１３は三相交流電圧を直流電圧に変換する周知の回路であって、力率改善機能を有するAC−DC変換スイッチング回路１３ａと、このAC−DC変換スイッチング回路１３ａの制御バス１３ｃで結合されたAC−DC変換制御回路１３ｂと、入力電流検出手段１３ｄとから成る。AC−DC変換スイッチング回路１３ａのＲ相、Ｓ相、及びＴ相入力導体１３Ｒ、１３Ｓ、１３Ｔは、図１の第１又は第２のＵＰＳ用Ｒ相、Ｓ相、及びＴ相入力接続導体７Ｒ、７Ｓ、７Ｔ又は１１Ｒ、１１Ｓ、１１Ｔを介してＵＰＳ用Ｒ相、Ｓ相、及びＴ相電源端子１Ｒ、１Ｓ、１Ｔに接続される。入力電流検出手段１３ｄ及びＲ相、Ｓ相、及びＴ相入力導体１３Ｒ、１３Ｓ、１３Ｔに接続されたAC−DC変換制御回路１３ｂはAC−DC変換スイッチング回路１３ａを制御するための制御信号を形成する。ＤＣ−ＡＣ変換器１５は、ＤＣ−ＡＣ変換スイッチング回路１５ａと、このＤＣ−ＡＣ変換スイッチング回路１５ａにバス１５ｃで結合されたＤＣ−ＡＣ変換制御回路１５ｂとから成る。ＡＣ−ＤＣ変換スイッチング回路１３ａと蓄電池１４とに接続されたＤＣ−ＡＣ変換スイッチング回路１５ａは、ＡＣ−ＤＣ変換スイッチング回路１３ａから得られた直流電圧又は蓄電池１４の直流電圧を三相交流電圧に変換する周知のインバータ回路から成る。ＤＣ−ＡＣ変換スイッチング回路１５ａのＲ相、Ｓ相、及びＴ相出力導体１５Ｒ、１５Ｓ、１５Ｔは図１の第１のUPS用出力導体８Ｒ、８Ｓ、８Ｔ、又は第２のＵＰＳ用出力導体１２Ｒ、１２Ｓ、１２Ｔに接続される。ＤＣ−ＡＣ変換制御回路１５ｂはインバータ制御回路と呼ぶこともできるものであって、ＤＣ−ＡＣ変換スイッチング回路１５ａから図１のＵＰＳ用Ｒ相、Ｓ相、及びＴ相電源端子１Ｒ、１Ｓ、１Ｔにおける三相交流電圧に同期した三相交流電圧を得るためにＲ相、Ｓ相、及びＴ相入力導体１３Ｒ、１３Ｓ、１３Ｔに接続され且つＲ相、Ｓ相、及びＴ相出力導体１５Ｒ、１５Ｓ、１５Ｔにも接続されている。Ｒ相、Ｓ相、及びＴ相入力導体１３Ｒ、１３Ｓ、１３Ｔから検出された信号はＤＣ−ＡＣ変換制御信号を形成するための基準信号として使用される。なお、ＤＣ−ＡＣ変換器１５はインバータとして周知であるので、この詳しい説明は省略する。
【００１６】
ＡＣ−ＤＣ変換スイッチング回路１３ａとＤＣ−ＡＣ変換スイッチング回路１５ａとの両方に接続された蓄電池１４はＡＣ−ＤＣ変換スイッチング回路１３ａから出力された直流電圧で充電され、停電時にＤＣ−ＡＣ変換スイッチング回路１５ａに直流電圧を供給する。なお、第１及び第２のＵＰＳ６，１０は図２の回路に限定されるものではなく、無停電電源機能を有するものであればどのような回路であってもよい。
【００１７】
第１の電源装置３ａは、第１のＵＰＳ６の故障又は検査の時に電力供給を継続するための第１のバイパス給電装置として第１のバイパス用Ｒ相、Ｓ相、及びＴ相入力接続導体１９Ｒ、１９Ｓ、１９Ｔと、第１のバイパススイッチ２０と、第１のバイパス用Ｒ相、Ｓ相、及びＴ相出力導体２１Ｒ、２１Ｓ、２１Ｔとを有する。第１のバイパス用Ｒ相、Ｓ相、及びＴ相入力接続導体１９Ｒ、１９Ｓ、１９Ｔはバイパス給電用Ｒ相、Ｓ相、及びＴ相電源端子２Ｒ、２Ｓ、２Ｔに接続されている。第１のバイパススイッチ２０は第１のバイパス用Ｒ相、Ｓ相、及びＴ相入力接続導体１９Ｒ、１９Ｓ、１９Ｔと第１のバイパス用Ｒ相、Ｓ相、及びＴ相出力導体２１Ｒ、２１Ｓ、２１Ｔとの間に接続されている。第１のバイパス用Ｒ相、Ｓ相、及びＴ相出力導体２１Ｒ、２１Ｓ、２１Ｔは共通のＲ相、Ｓ相、及びＴ相出力端子４Ｒ、４Ｓ、４Ｔに接続されている。ＵＰＳ用Ｒ相、Ｓ相、及びＴ相電源端子１Ｒ、１Ｓ、１Ｔとバイパス給電用Ｒ相、Ｓ相、及びＴ相電源端子２Ｒ、２Ｓ、２Ｔは共通の三相交流電源に接続されているので、第１のバイパススイッチ２０等から成る第１のバイパス給電装置は、第１のＵＰＳ６に対して並列に接続されている。図１の第１のバイパススイッチ２０は、第１のＵＰＳ６の出力段のスイッチ９がオフ状態の時にのみオン状態になり、第２のＲ相、Ｓ相、及びＴ相電源端子２Ｒ、２Ｓ、２Ｔから負荷５への電力供給回路を形成する。
【００１８】
第２の電源装置３ｂは、第２のＵＰＳ１０の故障又は検査の時に電力供給を継続するための第２のバイパス給電装置として第２のバイパス用Ｒ相、Ｓ相、及びＴ相入力接続導体２２Ｒ、２２Ｓ、２２Ｔと、第２のバイパススイッチ２３と、第２のバイパス用Ｒ相、Ｓ相、及びＴ相出力導体２４Ｒ、２４Ｓ、２４Ｔとを有する。第２のバイパス用Ｒ相、Ｓ相、及びＴ相入力接続導体２２Ｒ、２２Ｓ、２２Ｔはバイパス給電用Ｒ相、Ｓ相、及びＴ相電源端子２Ｒ、２Ｓ、２Ｔに接続されている。第２のバイパススイッチ２３は第2のバイパス用Ｒ相、Ｓ相、及びＴ相入力接続導体２２Ｒ、２２Ｓ、２２Ｔと第２のバイパス用Ｒ相、Ｓ相、及びＴ相出力導体２４Ｒ、２４Ｓ、２４Ｔとの間に接続されている。第２のバイパス用Ｒ相、Ｓ相、及びＴ相出力導体２４Ｒ、２４Ｓ、２４Ｔは共通のＲ相、Ｓ相、及びＴ相出力端子４Ｒ、４Ｓ、４Ｔに接続されている。第２のバイパススイッチ２３等から成る第２のバイパス給電装置は、第２のＵＰＳ１０に対して並列に接続されている。図１の第２のバイパススイッチ２３は、第２のＵＰＳ１０の出力段のスイッチ１６がオフ状態の時にのみオン状態になり、第２のＲ相、Ｓ相、及びＴ相電源端子２Ｒ、２Ｓ、２Ｔから負荷５への電力供給回路を形成する。
【００１９】
図１にはＵＰＳ用Ｒ相、Ｓ相、及びＴ相電源端子１Ｒ、１Ｓ、１Ｔに対して第１及び第２のUPS用Ｒ相、Ｓ相、及びＴ相入力接続導体７Ｒ、７Ｓ、７Ｔ及び１１Ｒ、１１Ｓ、１１Ｔが正確に接続され、バイパス給電用Ｒ相、Ｓ相、及びＴ相電源端子２Ｒ、２Ｓ、２Ｔに対して第１及び第２のバイパス用Ｒ相、Ｓ相、及びＴ相入力接続導体１９Ｒ、１９Ｓ、１９Ｔ及び２２Ｒ、２２Ｓ、２２Ｔが正確に接続された状態が示されている。一般的には、先に第１のＵＰＳ用Ｒ相、Ｓ相、及びＴ相入力接続導体７Ｒ、７Ｓ、７ＴがＵＰＳ用電源端子１Ｒ、１Ｓ、１Ｔに接続され、第１のバイパス用Ｒ相、Ｓ相、及びＴ相入力接続導体１９Ｒ、１９Ｓ、１９Ｔがバイパス給電用Ｒ相、Ｓ相、及びＴ相電源端子２Ｒ、２Ｓ、２Ｔに接続される。これ等のみを接続する場合は、接続導体の数がさほど多くないので誤接続の発生確率が比較的小さい。しかし、負荷５の電力容量の増大に伴い第２のUPS１０及び第２のバイパス給電装置を増設する場合には配線が複雑になり、誤接続の発生確率が比較的大きくなる。この誤接続を容易に検出するために図１の電力供給装置は、第１及び第２のUPS誤接続検出回路２５，２６と、第１及び第２のバイパス誤接続検出回路２７，２８と、第１及び第２の共通接続導体２９，３０とを備えている。
【００２０】
第１及び第２のUPS誤接続検出回路２５、２６及び第１及び第２のバイパス誤接続検出回路２７，２８は互いに同一に形成されており、第１、第２、第３及び第４の端子ａ、ｂ、ｃ、ｄをそれぞれ有している。第１のＵＰＳ誤接続検出回路２５の第１、第２及び第３の端子ａ、ｂ、ｃは第１のＵＰＳ用Ｒ相、Ｓ相及びＴ相入力接続導体７Ｒ、７Ｓ，７Ｔに接続され、第４の端子ｄは第１の共通接続導体２９に接続されている。第２のＵＰＳ誤接続検出回路２６の第１、第２及び第３の端子ａ、ｂ、ｃは第２のＵＰＳ用Ｒ相、Ｓ相及びＴ相入力接続導体１１Ｒ、１１Ｓ，１１Ｔに接続され、第４の端子ｄは第１の共通接続導体２９に接続されている。第１のバイパス誤接続検出回路２７の第１、第２及び第３の端子ａ、ｂ、ｃは第１のバイパス用Ｒ相、Ｓ相及びＴ相入力接続導体１９Ｒ、１９Ｓ，１９Ｔに接続され、第４の端子ｄは第２の共通接続導体３０に接続されている。第２のバイパス誤接続検出回路２８の第１、第２及び第３の端子ａ、ｂ、ｃは第２のバイパス用Ｒ相、Ｓ相及びＴ相入力接続導体２２Ｒ、２２Ｓ，２２Ｔに接続され、第４の端子ｄは第２の共通接続導体３０に接続されている。
【００２１】
図３に第１及び第２のUPS誤接続検出回路２５、２６と第１の共通接続導体２９が示されている。第１及び第２のＵＰＳ誤接続検出回路２５、２６の内部の回路構成は互いに同一であるので、同一の回路要素に同一の参照数字が付され、両者が添字ａ、ｂで区別されている。
【００２２】
第１及び第２のＵＰＳ誤接続検出回路２５、２６は大別して交流入力検出手段３１ａ、３１ｂと、パルス発生回路３２ａ、３２ｂと、パルス検出回路３３ａ、３３ｂと、相回転誤接続判定手段３４ａ、３４ｂと、相順誤接続判定手段６０ａ、６０ｂと、論理回路６１ａ，６１ｂと、報知器３５ａ、３５ｂとから成る。なお、相回転誤接続の検出のみが要求される時には、相順誤接続判定手段６０ａ、６０ｂと論理回路６１ａ，６１ｂとを省いて相回転誤接続判定手段３４ａ、３４ｂを報知器３５ａ、３５ｂに直接に接続することもできる。
【００２３】
第１及び第２の交流入力検出手段３１ａ、３１ｂは、第１又は第２のＵＰＳ用Ｒ相、Ｓ相、及びＴ相入力接続導体７Ｒ、７Ｓ、７Ｔ又は１１Ｒ、１１Ｓ、１１Ｔから選択されたＲ相の交流電圧、即ち第１及び第２のUPS用Ｒ相入力接続導体７Ｒ、１１Ｒの相電圧を検出するためのものであって、降圧及び電気的絶縁機能を有するトランス３６ａ、３６ｂから成る。トランス３６ａ、３６ｂの１次巻線３７ａ、３７ｂの一端はそれぞれの第１の端子ａに接続され、他端はグランドに接続されている。トランス３６ａ、３６ｂの２次巻線３８ａ、３８ｂは次段のパルス発生回路３２ａ、３２ｂに接続されている。なお、第１及び第２の交流入力検出手段３１ａ、３１ｂを第１及び第２のUPS用Ｒ相入力接続導体７Ｒ、１１Ｒの相電圧を検出するように構成する代わりに、第１及び第２のUPS用S相入力接続導体７S、１１Sの相電圧、又は第１及び第２のUPS用T相入力接続導体７T、１１Tの相電圧、又は第１及び第２のUPS用Ｒ相、Ｓ相及びＴ相入力接続導体７Ｒ、７Ｓ、７Ｔ及び１１Ｒ、１１Ｓ、１１Ｔにおける所定の線間電圧を検出するように構成することもできる。また、第１及び第２のUPS用Ｒ相、Ｓ相及びＴ相入力接続導体７Ｒ、７Ｓ、７Ｔ及び１１Ｒ、１１Ｓ、１１Ｔに流れる電流が正弦波の場合には、電流検出手段によって例えば第１のUPS用Ｒ相入力接続導体７Ｒの電流、及び第２のUPS用Ｒ相入力接続導体１１Ｒの電流を検出し、これを交流入力検出信号とすることができる。
【００２４】
パルス発生回路３２ａ、３２ｂは、ゼロクロス検出及びパルス形成回路３９ａ，３９ｂを有している。ゼロクロス検出及びパルス形成回路３９ａ、３９ｂは交流入力検出手段３１ａ、３１ｂで検出された正弦波の交流入力検出信号V1,V2が所定値としてのゼロを横切ったことを検出し、且つ所定幅のパルスを形成するためのものであって、例えば図４に示すように比較器４０とパルス形成回路４１とで構成される。図４では比較器４０の正入力端子が図３の交流入力検出手段３１ａ又は３１ｂに接続され、負入力端子がグランドに接続されている。従って、交流入力検出信号の正の半波期間に高レベル電圧の出力を発生する。勿論、正の半波期間に低レベル電圧の出力を発生するように比較器４０を形成することもできる。比較器４０に接続されたパルス形成回路４１は、比較器４０の出力が低レベルから高レベルに転換した時点に応答して交流入力検出信号の周期よりも十分に短いパルス幅を有するパルスを形成するものであって、例えば単安定マルチバイブレータ等で構成される。
【００２５】
図６に第１のＵＰＳ６の第１のUPS用Ｒ相、Ｓ相及びＴ相入力接続導体７Ｒ、７Ｓ、７ＴがＵＰＳ用電源端子１Ｒ、１Ｓ、１Ｔに正常に接続され且つ第２のＵＰＳ１０の第２のUPS用Ｒ相、Ｓ相及びＴ相入力接続導体１１Ｒ、１１Ｓ、１１ＴがＵＰＳ用電源端子１Ｒ、１Ｓ、１Ｔに正常に接続された場合の図３の各部の状態が示されている。図７に第１のＵＰＳ６の第１のUPS用Ｒ相、Ｓ相及びＴ相入力接続導体７Ｒ、７Ｓ、７ＴがＵＰＳ用電源端子１Ｒ、１Ｓ、１Ｔに正常に接続され且つ第２のＵＰＳ１０の第２のUPS用Ｒ相、Ｓ相及びＴ相入力接続導体１１Ｒ、１１Ｓ、１１ＴがＵＰＳ用電源端子１Ｓ、１Ｔ、１Ｒに接続された場合（異常接続の場合）の図３の各部の状態が示されている。即ち、図７には第１のUPS用Ｒ相、Ｓ相及びＴ相入力接続導体７Ｒ、７Ｓ、７ＴがR,S,Tの相回転となるように正常に接続され、第２のUPS用Ｒ相、Ｓ相及びＴ相入力接続導体１１Ｒ、１１Ｓ、１１ＴがS,T,Rの相回転となるように異常に接続された場合（相回転誤接続の場合）が示されている。なお、相回転誤接続とは、第１のUPS用Ｒ相、Ｓ相及びＴ相入力接続導体７Ｒ、７Ｓ、７Ｔの三相電圧と第２のUPS用Ｒ相、Ｓ相及びＴ相入力接続導体１１Ｒ、１１Ｓ、１１Ｔの三相電圧との回転位相が異なる接続を言う。第１のＵＰＳ誤接続検出回路２５のゼロクロス検出及びパルス形成回路３９ａに入力する第１のＵＰＳ交流入力検出信号Ｖ1と第２のＵＰＳ誤接続検出回路２６のゼロクロス検出及びパルス形成回路３９ｂに入力する第２のＵＰＳ交流入力検出信号Ｖ2とが図６（Ａ）に示すように同相の場合には、第１及び第２のＵＰＳ交流入力検出信号Ｖ1、Ｖ2がゼロを横切るｔ0時点で各ゼロクロス検出パルス及びパルス形成回路３９ａ、３９ｂから図６（Ｂ）（Ｃ）に示すように同一幅の第１及び第２のパルスＶｐ1、Ｖｐ2が同時に発生する。この実施例では、第１及び第２のＵＰＳ交流入力検出信号Ｖ1、Ｖ2の負の半波から正の半波への転換時即ち正弦波の０度の時にのみ第１及び第２のパルスＶｐ1、Ｖｐ2を発生させているが、正の半波から負の半波に横切る時点即ち正弦波の１８０度の時に第１及び第２のパルスＶｐ1、Ｖｐ2を発生させるように変形すること、又は第１及び第２のUPS交流入力検出信号Ｖ1、Ｖ2の０度と１８０度との両方で第１及び第２のパルスＶｐ1、Ｖｐ2を発生させるように変形することもできる。また、図４に示す比較器４０の負入力端子の基準をゼロにする代わりに、ゼロ以外の所定基準値を与え、所定基準値を第１及び第２のＵＰＳ交流入力検出信号Ｖ1、Ｖ2が横切った時に第１及び第２のパルスＶｐ1、Ｖｐ2を発生させるように変形することもできる。
【００２６】
もし、図１において第２のＵＰＳ用R相入力接続導体１１Ｒが誤ってＵＰＳ用Ｔ相電源端子１Ｔに接続され、第２のＵＰＳ用Ｓ相入力接続導体１１Ｓが誤ってＵＰＳ用Ｒ相電源端子１Ｒに接続され、第２のＵＰＳ用Ｔ相入力接続導体１１Ｔが誤ってＵＰＳ用Ｓ相電源端子１Ｓに接続されると、図３の第２のＵＰＳ交流入力検出信号Ｖ2は、図７（Ａ）に示すように第１のＵＰＳ交流入力検出信号Ｖ1に対して１２０度の位相差を有する。従って、図７（Ｂ）に示す第１のパルスＶｐ1はｔ0時点（０度）で発生するが、図７（Ｃ）に示す第２のパルスＶｐ2はｔ1時点（１２０度）で発生する。本発明では、第１及び第２のパルスＶｐ1、Ｖｐ2が異なる時間位置で発生した時に相回転誤接続状態にあることを示す信号を出力する。
【００２７】
図３のパルス発生回路３２ａ、３２ｂは、ゼロクロス検出及びパルス形成回路３９ａ、３９ｂの他に電気的絶縁されたパルス伝送路を形成するためにLEDから成る発光素子４０ａ、４０ｂと、各発光素子４０ａ、４０ｂに光結合されたホトトランジスタから成る受光素子４１ａ、４１ｂと、電流制限抵抗４２ａ、４２ｂ、４３ａ、４３ｂと、パルス出力用トランジスタ４４ａ、４４ｂと、逆流阻止用ダイオード４５ａ、４５ｂとを有する。発光素子４０ａ、４０ｂはゼロクロス検出及びパルス形成回路３９ａ、３９ｂの出力端子とグランドとの間に抵抗４２ａ、４２ｂを介して接続され、図６（Ｂ）（Ｃ）又は図７（Ｂ）（Ｃ）に示す第１及び第２のパルスＶｐ１、Ｖｐ２に対応する光パルスを発生する。パルス出力用トランジスタ４４ａ、４４ｂはｐｎｐトランジスタからなり、このエミッタは直流電源端子４６ａ、４６ｂに接続され、このベースは抵抗４３ａ、４３ｂと受光素子４１ａ、４１ｂとを介してグランドに接続され、このコレクタは逆流阻止用ダイオード４５ａ、４５ｂを介してパルス検出回路３３ａ、３３ｂに接続されている。なお、第１のＵＰＳ誤接続検出回路２５のパルス出力用トランジスタ４４ａのコレクタは、逆流阻止用ダイオード４５ａを介して第１のＵＰＳ誤接続検出回路２５のパルス検出回路３３ａに接続されていると共に第１の共通接続導体２９を介して第２のＵＰＳ誤接続検出回路２６のパルス検出回路３３ｂにも接続されている。同様に第２のＵＰＳ誤接続検出回路２６のパルス出力用トランジスタ４４ｂのコレクタは、逆流阻止用ダイオード４５ｂを介して第２のＵＰＳ誤接続検出回路２６のパルス検出回路３３ｂに接続されていると共に第１の共通接続導体２９を介して第１のＵＰＳ誤接続検出回路２５のパルス検出回路３３aにも接続されている。
【００２８】
パルス検出回路３３ａ、３３ｂは、２つのパルス発生回路３２ａ、３２ｂの出力パルスの両方に応答するものであって、電流制限抵抗４７ａ、４７ｂと、ＬＥＤから成る発光素子４８ａ、４８ｂと、ホトトランジスタから成る受光素子４９ａ、４９ｂと、コレクタ抵抗５０ａ、５０ｂとから成る。第１のＵＰＳ誤接続検出回路２５の発光素子４８ａのアノードは第１のＵＰＳ誤接続検出回路２５の電流制限用抵抗４７ａと逆流阻止用ダイオード４５ａとパルス出力用トランジスタ４４ａとを介して直流電源端子４６ａに接続されていると共に、電流制限抵抗４７ａと第１の共通接続導体２９と第２のＵＰＳ誤接続検出回路２６の逆流阻止用ダイオード４５ｂとパルス出力用トランジスタ４４ｂとを介して直流電源端子４６ｂにも接続されている。同様に、第２のＵＰＳ誤接続検出回路２６の発光素子４８ｂのアノードは、第２のＵＰＳ誤接続検出回路２６の電流制限用抵抗４７ｂと逆流阻止用ダイオード４５ｂとパルス出力用トランジスタ４４ｂとを介して直流電源端子４６ｂに接続されていると共に、電流制限用抵抗４７ｂと第１の共通接続導体２９と第１のＵＰＳ誤接続検出回路２５の逆流阻止用ダイオード４５ａとパルス出力用トランジスタ４４ａとを介して直流電源端子４６ａにも接続されている。発光素子４８ａ、４８ｂのカソードはグランドに接続されている。従って、２つの発光素子４８ａ、４８ｂに図６（Ｄ）又は図７（Ｄ）に示すように同時に同一の電流パルスＩｐ１、Ｉｐ２が供給される。
【００２９】
図６に示すように第１及び第２のパルスＶｐ１、Ｖｐ２が同時に発生する時には、各発光素子４８ａ、４８ｂに２つのパルス出力用トランジスタ４４ａ、４４ｂを介して同時に同一の値を有する電流パルスＩｐ1、Ｉｐ2が供給されるので、各発光素子４８ａ、４８ｂは正弦波電圧の１周期Ｔｓ中に１つの光パルスを出力する。図７に示すように第１及び第２のパルスＶｐ１、Ｖｐ２が異なる時間に発生する時には、各発光素子４８ａ、４８ｂに第１及び第２のパルスＶｐ1、Ｖｐ2に対応した２つの電流パルスＩｐ1、Ｉｐ2が供給され、正弦波電圧の１周期Ｔｓに２つの光パルスを出力する。
【００３０】
パルス検出回路３３ａ、３３ｂの発光素子４８ａ、４８ｂに光結合された受光素子４９ａ、４９ｂのコレクタは抵抗５０ａ、５０ｂを介して直流電源端子５１ａ、５１ｂに接続され、エミッタはグランドに接続されている。受光素子４９ａ、４９ｂと抵抗５０ａ、５０ｂとの相互接続点にパルス出力導体５２ａ、５２ｂが接続されている。受光素子４９ａ、４９ｂは発光素子４８ａ、４８ｂの光パルスに応答して抵抗値が低下するので、パルス出力導体５２ａ、５２ｂの電位は、図６（Ｄ）又は図７（Ｄ）の電流パルスＩｐ1、Ｉｐ2の発生期間に対応して低レベルになる。従って、パルス出力導体５２ａ、５２ｂには、負論理に従うパルスが得られる。第１及び第２のＵＰＳ誤接続検出回路２５，２６のパルス検出回路３３ａ、３３ｂは互いに同一動作するので、何れか一方を省くこともできる。しかし、相回転誤接続判定と相順誤接続判定との両方を同時に行う時には両方のパルス検出回路３３ａ、３３ｂを設けることが望ましい。
【００３１】
相回転誤接続判定手段３４ａ、３４ｂは、図７に示すようにパルス検出回路３３ａ、３３ｂから正弦波電圧の１周期Ｔｓ中に得られるパルスの個数によって相回転誤接続の有無を判定するものである。各相回転誤接続判定手段３４ａ、３４ｂは、例えば、図５に示すようにカウンタ５３とクロック発生器５４と計数値判定手段５５とで構成されている。カウンタ５３の入力端子５６は図３のパルス出力導体５２ａ又は５２ｂに接続される。カウンタ５３のリセット端子５７はクロック発生器５４に接続されている。クロック発生器５４は、図６（Ｅ）及び図７（Ｅ）に示すように正弦波の１周期Ｔｓに１個の割合でクロックパルスを発生する。カウンタ５３はクロックパルスに応答してリセット状態になり、正弦波の１周期Ｔｓ中に入力するパルスを計数し、この計数結果を出力端子５８に送出する。カウンタ５３の出力端子５８に接続された計数値判定手段５５は、カウンタ５３がクロックパルスでリセットされる直前の計数値が１か否かを判定し、計数値が１を示している時には図６（Ｆ）に示すように正常接続を示す高レベル信号Ｈを保持して出力し、計数値が１を示していない時即ち２を示している時には図７（Ｆ）に示すように誤接続を示す低レベル信号Ｌを保持して出力する。この計数値判定手段５５は周知のディジタル比較器で構成することができる。なお、カウンタ５３と計数値判定手段５５とを一体化することもできる。
【００３２】
誤接続判定手段として機能するＡＮＤ回路６１ａ，６１ｂの一方の入力端子に相回転誤接続判定手段３４ａ、３４ｂが接続され、他方の入力端子に相順誤接続判定手段６０ａ，６０ｂが接続されている。ＡＮＤ回路６１ａ，６１ｂは、相順誤接続判定手段６０ａ，６０ｂから相順が正常であることを示す信号が発生し且つ相回転誤接続判定手段３４ａ、３４ｂから相回転が正常であることを示す信号が発生している時に正常接続を示す高レベル信号を発生し、相順誤接続判定手段６０ａ，６０ｂから相順が異常であることを示す低レベル信号が発生している時又は相回転誤接続判定手段３４ａ、３４ｂから相回転が異常であることを示す低レベル信号が発生している時に誤接続を示す低レベル信号を発生する。なお、ＡＮＤ回路６１ａ，６１ｂの代わりにこれと同様な機能を有する別な論理回路を設けることができる。
【００３３】
ＡＮＤ回路６１ａ、６１ｂに接続された報知器３５ａ、３５ｂはＡＮＤ回路６１ａ、６１ｂから発生する誤接続判定結果を示す低レベル信号に応答して鳴るブザーから成り、誤接続判定結果を音によって作業者に知らせる。なお、報知器３５ａ、３５ｂを、ＬＥＤ等の光学的表示器で構成すること、又はブザーと光学的表示器との組合せで構成すること、又は音声報知器で構成するもできる。また、報知器３５ａ、３５ｂを正常接続の時に正常を示す報知出力を発生し、誤接続の時には無報知とすることもできる。また、正常接続と誤接続との両方を報知することもできる。
【００３４】
相順誤接続判定手段６０ａ，６０ｂは第１のＵＰＳ６と第２のＵＰＳ１０とが例えば逆相状態のような相順誤接続を検出するものであり、互いに同一に構成されており、例えば図８に示すように第１、第２及び第３の入力端子６２，６３，６４と、波形整形手段としての第１、第２及び第３の比較器６５，６６，６７と、第１、第２及び第３のスイッチＳ１，Ｓ２，Ｓ３から成る抽出回路６８と、抽出制御信号形成回路６９と、ＮＯＴ回路（否定回路）７０と、ＡＮＤ回路７１と、保持回路７２と、出力端子７３とを有する。第１、第２及び第３の入力端子６２，６３，６４は、図３では図示を簡略化するために省略されているラインを介して図３の第１、第２及び第３の端子ａ，ｂ、ｃに接続され、図１の第１のＵＳＰ用Ｒ相、Ｓ相及びＴ相入力接続導体７Ｒ、７Ｓ、７Ｔの各相電圧、又は第２のＵＳＰ用Ｒ相、Ｓ相及びＴ相入力接続導体１１Ｒ、１１Ｓ、１１Ｔの各相電圧Ｖａ，Ｖｂ，Ｖｃを受け入れる。
【００３５】
Ｒ相、Ｓ相、Ｔ相電圧Ｖｒ，Ｖｓ，Ｖｔを供給するＵＰＳ用Ｒ相、Ｓ相、Ｔ相電源端子１Ｒ、１S、１Ｔに対して第１のUPS用Ｒ相、Ｓ相及びＴ相入力接続導体７Ｒ、７Ｓ、７Ｔ、又は第２のUPS用Ｒ相、Ｓ相及びＴ相入力接続導体１１Ｒ、１１Ｓ、１１Ｔが正常に接続されている時には、図９（Ａ）に示すように相順誤接続判定手段６０ａ，６０ｂの第１、第２及び第３の入力端子６２，６３，６４にＲ相、Ｓ相、Ｔ相電圧Ｖｒ，Ｖｓ，Ｖｔの正常な相順で相電圧Ｖａ，Ｖｂ，Ｖｃが入力する。第１、第２及び第３の比較器６５，６６，６７の一方の入力端子は第１、第２及び第３の入力端子６２，６３，６４に接続され、他方の入力端子はグランドに接続されているので、図９（Ａ）に示す正弦波から成る各相電圧Ｖａ，Ｖｂ，Ｖｃは図９（Ｂ）（Ｃ）（Ｄ）に示す３つの方形波Ｖ６５，Ｖ６６，Ｖ６７に整形される。３つの方形波Ｖ６５，Ｖ６６，Ｖ６７は１２０度の位相差を有して正しい相順（Ｒ―Ｓ―Ｔ）で発生する。抽出回路６８の第１、第２及び第３のスイッチＳ１，Ｓ２，Ｓ３は第１、第２及び第３の比較器６５，６６，６７の出力ラインに直列に接続されている。従って、第１、第２及び第３のスイッチＳ１，Ｓ２，Ｓ３がオンの期間に第１、第２及び第３の比較器６５，６６，６７の出力が抽出される。抽出制御信号形成回路６９は第１の入力端子６２に接続されており、図９及び図１０のｔ０〜ｔ１に示す所定区間（正弦波の０〜６０度区間）を示す抽出制御信号Ｖ６９を図９（Ｅ）及び図１０図（Ｅ）に示すように形成し、この抽出制御信号Ｖ６９によって第１、第２及び第３のスイッチＳ１，Ｓ２，Ｓ３をオン制御する。ＡＮＤ回路７１の第１の入力端子は第１のスイッチＳ１を介して第１の比較器６５に接続され、この第２の入力端子はＮＯＴ回路７０と第２のスイッチＳ２を介して第２の比較器６６に接続され、この第３の入力端子は第３のスイッチＳ３を介して第３の比較器６７に接続されている。なお、ＮＯＴ回路７０を第２の比較器６６と第２のスイッチＳ２との間に配置することもできる。また、ＮＯＴ回路７０を設ける代わりに第２の比較器６６から反転出力を得ることができるように第２の比較器６６を変形することもできる。保持回路７２はＡＮＤ回路７１に接続され、ＡＮＤ回路７１の出力を所定時間だけ保持して相順判定信号Ｖ７２を出力端子７３に送出する。
【００３６】
図９に示すようにＵＰＳ用Ｒ相、Ｓ相、Ｔ相電源端子１Ｒ、１S、１Ｔに対して第１のUPS用Ｒ相、Ｓ相及びＴ相入力接続導体７Ｒ、７Ｓ、７Ｔ、又は第２のUPS用Ｒ相、Ｓ相及びＴ相入力接続導体１１Ｒ、１１Ｓ、１１Ｔが接続されている時は、正常な位相順序（Ｒ−Ｓ−Ｔ）であつて、図９（Ｅ）の抽出制御信号Ｖ６９が高レベルの期間ｔ０〜ｔ１においてＡＮＤ回路７１の出力が高レベルとなり、且つ保持回路７２から得られる相順判定信号Ｖ７２も図９（Ｆ）に示すように正常を示す高レベルとなる。これに対し、ＵＰＳ用Ｒ相、Ｓ相、Ｔ相電源端子１Ｒ、１S、１Ｔに対して第１のUPS用Ｔ相、Ｓ相及びＲ相入力接続導体７Ｔ、７Ｓ、７Ｒ、又は第２のUPS用Ｔ相、Ｓ相及びＲ相入力接続導体１１Ｔ、１１Ｓ、１１Ｒが接続されている時、即ち異常位相順序（Ｔ−Ｓ−Ｒ）の時には、図９（Ｅ）の抽出制御信号Ｖ６９が高レベルの期間ｔ０〜ｔ１においてＡＮＤ回路７１の出力が低レベルとなり、且つ保持回路７２から得られる相順判定信号Ｖ７２も図１０（Ｆ）に示すように異常を示す低レベルとなる。相順誤接続判定手段６０ａ，６０ｂから得られる相順判定信号Ｖ７２が異常を示す低レベルの時には、図３のＡＮＤ回路６１ａ，６１ｂの出力も異常を示す低レベルとなる。従って、図３のＡＮＤ回路６１ａ，６１ｂの出力は、相回転誤接続の時と相順誤接続の時とのいずれにおいても誤接続を示す低レベル信号を出力する。
【００３７】
図７には第２のＵＰＳ１０がＳ−Ｔ−Ｒの相回転に誤接続された状態が示され、図１０に第２のＵＰＳ１０がＴ−Ｓ−Ｒの相順序に誤接続（逆相誤接続）された状態が示されているが、これ以外の誤接続においても図７及び図１０と同様に誤接続を検出することができる。
【００３８】
第１及び第２のバイパス誤接続検出回路２７、２８は、既に説明したように図３に示す第１及び第２のＵＰＳ誤接続検出回路２５、２６と同一に構成されている。従って、第１のバイパス用Ｒ相、Ｓ相及びＴ相入力接続導体１９Ｒ、１９Ｓ、１９Ｔ又は第２のバイパス用Ｒ相、Ｓ相及びＴ相入力接続導体２２Ｒ、２２Ｓ、２２Ｔのバイアス用Ｒ相、Ｓ相及びＴ相電源端子２Ｒ、２Ｓ、２Ｔに対する誤接続は、第１又は第２のＵＰＳ用Ｒ相、Ｓ相及びＴ相入力接続導体７Ｒ、７Ｓ、７Ｔ又は１１Ｒ、１１Ｓ、１１Ｔの誤接続と同様に検出することができる。
【００３９】
本実施例は次の効果を有する。
（１）  第１及び第２のＵＰＳ誤接続検出回路２５、２６が第１の共通接続導体２９によって相互に接続されていることによって第１及び第２のＵＰＳ６，１０の相回転誤接続の有無、又は第１又は第２のＵＰＳ用Ｒ相入力接続導体７Ｒ、１１Ｒの誤接続の有無を同時に検出することができる。従って、第１及び第２のＵＰＳ６，１０の誤接続の検出が容易になる。
（２）  第１及び第２のバイパス誤接続検出回路２７、２８が第２の共通接続導体３０によって相互に接続されていることによって第１及び第２のバイパススイッチ２０、２３を含む第１及び第２のバイパス給電装置の相回転誤接続の有無、又は第１又は第２のバイパス用Ｒ相入力接続導体１９Ｒ、２２Ｒの誤接続の有無を同時に検出することができる。従って、第１及び第２のバイパス給電装置の誤接続の検出が容易になる。
（３）  第１及び第２のＵＰＳ誤接続検出回路２５、２６が互いに同一に形成され、且つ第１及び第２のバイパス誤接続検出回路２７、２８が互いに同一に形成され、且つ第１及び第２のＵＰＳ誤接続検出回路２５、２６と第１及び第２のバイアス誤接続検出回路２７、２８とが互いに同一に形成されているので、各誤接続検出回路２５〜２８のコストの低減を図ることができる。
（４）負荷容量の増大に容易に対処するために第１及び第２のＵＰＳ６，１０に対して第１及び第２のバイパス給電装置が個別に設けられ、これ等の接続が複雑になっているが、第１及び第２のＵＰＳ誤接続検出回路２５、２６と第１及び第２のバイパス誤接続検出回路２７、２８とが設けられているので、それぞれの誤接続を容易に判定することができる。
【実施例２】
【００４０】
図１１に示す変形された電力供給装置は、図１からバイパスＲ相、Ｓ相及びＴ相電源端子２Ｒ、２Ｓ、２Ｔを省き、ＵＰＳ用Ｒ相、Ｓ相、及びＴ相電源端子１Ｒ、１Ｓ、１Ｔに対して第１及び第２のバイパス用Ｒ相、Ｓ相及びＴ相入力接続導体１９Ｒ、１９Ｓ、１９Ｔ及び２２Ｒ、２２Ｓ、２２Ｔを接続し、この他は図１と同一に構成したものである。即ち、図１１に示す変形された電力供給装置は、第１及び第２のＵＰＳ６，１０のための入力接続導体７Ｒ、７Ｓ、７Ｔ、１１Ｒ、１１Ｓ、１１Ｔを接続する三相交流電源端子と第１及び第２のバイパス給電装置の入力接続導体１９Ｒ、１９Ｓ、１９Ｔ、２２Ｒ、２２Ｓ、２２Ｔを接続する三相交流電源端子とを独立に設けずに、ＵＰＳ用Ｒ相、Ｓ相、及びＴ相電源端子１Ｒ、１Ｓ、１Ｔを、第１及び第２のバイパス給電装置の入力接続導体１９Ｒ、１９Ｓ、１９Ｔ、２２Ｒ、２２Ｓ、２２Ｔを接続する三相交流電源端子として兼用し、この他は図１と同一に構成したものである。
【００４１】
図１１に示す実施例２においても図１と同様に入力接続導体７Ｒ、７Ｓ、７Ｔ、１１Ｒ、１１Ｓ、１１Ｔ、１９Ｒ、１９Ｓ、１９Ｔ、２２Ｒ、２２Ｓ、２２Ｔの誤接続が生じるおそれがあるが、この誤接続の有無を図１の実施例１と同様に検出することができる。
【００４２】
本発明は上述の実施例に限定されるものでなく、例えば次の変形が可能なものである。
（１）  ３台以上のＵＰＳを並列接続する場合にも本発明に従う誤接続検出装置を使用することができる。この場合には誤接続検出回路２５、２６と同様なものをＵＰＳに合わせて３個以上設け、これ等を第１の共通接続導体２９で相互に接続する。
（２）  ３個以上のＵＰＳのそれぞれにバイパス給電装置を設けると共に３個以上のバイパス誤接続検出回路を設けることができる。３個以上のバイパス誤接続検出回路は図１の第２の共通接続導体３０と同様なもので相互に接続する。
（３）  図１からバイパス給電装置及びバイパス誤接続検出回路２７、２８を省き、第１及び第２のＵＰＳ６、１０のみで負荷５に電力を供給することもできる。
（４）  第１及び第２のＵＰＳ６、１０に対して個別にバイパス給電装置を設けずに、第１及び第２のＵＰＳ６、１０に対してまとめて１つのバイパス給電装置を設けることもできる。
（５）第１のＵＰＳ６が既設で、第２のＵＰＳ１０を追加する時、又は第１及び第２のＵＰＳ６、１０が同時に設置され、第１のＵＰＳ６のみで警報を鳴らす時等において、図３のパルス検出回路３３ｂ、相回転誤接続判定手段３４ｂ、報知器３５ｂを省くことができる。
（６）１つのＵＰＳ６と１つのバイパス給電装置との組み合わせの電源装置において、ＵＰＳ誤接続検出回路２５の第４の端子ｄとバイパス誤接続検出回路２７の第４の端子ｄとを共通接続導体で相互に接続し、第１のＵＰＳ６とバイパス給電装置との誤接続を同時に検出することができる。
（７）相順誤接続判定手段６０ａ，６０ｂを省き、相回転誤接続判定手段３４ａ，３４ｂを直接に報知器３５ａ，３５ｂに接続することもできる。この場合には相回転誤接続の検出と、第１及び第２のＵＰＳ用Ｒ相入力接続導体７Ｒ，１１Ｒ，第１及び第２のバイパス用Ｒ相入力接続導体１９Ｒ，２２Ｒの誤接続の検出が可能になる。
（８）ゼロクロス検出及びパルス形成回路３９ａ，３９ｂに所定の線間電圧を入力させることができる。
【図面の簡単な説明】
【００４３】
【図１】本発明の実施例１に従う電力供給装置を示すブロック図である。
【図２】図１のＵＰＳを詳しく示す回路図である。
【図３】図１のＵＰＳ誤接続検出回路を詳しく示す回路図である。
【図４】図３のゼロクロス検出及びパルス形成回路を詳しく示す回路図である。
【図５】図３の相回転誤接続判定手段を詳しく示す回路図である。
【図６】第１及び第２のＵＰＳの正常接続時の図３の各部の状態を示す波形図である。
【図７】第２のＵＰＳの誤接続が生じた時の図３の各部の状態を示す波形図である。
【図８】図３の相順誤接続判定手段を詳しく示す回路図である。
【図９】第１及び第２のＵＰＳの正常接続時の図８の各部の状態を示す波形図である。
【図１０】第２のＵＰＳの相順誤接続が生じた時の図８の各部の状態を示す波形図である。
【図１１】実施例２の電力供給装置を示すブロック図である。
【符号の説明】
【００４４】
１Ｒ、１Ｓ、１Ｔ  ＵＰＳ用Ｒ相、Ｓ相、Ｔ相電源端子
２Ｒ、２Ｓ、２Ｔ  バイパス給電用Ｒ相、Ｓ相、Ｔ相電源端子
３ａ  第１の電源装置
３ｂ  第２の電源装置
４Ｒ、４Ｓ、４Ｔ  Ｒ相、Ｓ相及びＴ相出力端子
５  負荷
６  第１のＵＰＳ
７Ｒ、７Ｓ、７Ｔ  Ｒ相、Ｓ相及びＴ相入力接続導体
８Ｒ、８Ｓ、８Ｔ  出力導体
２５，２６  第１及び第２のＵＰＳ誤接続検出回路
２７，２８  第１及び第２のバイパス誤接続検出回路
２９，３０  第１及び第２の共通接続導体
【図１】
2008048576.tif 000003
【図２】
2008048576.tif 000004
【図３】
2008048576.tif 000005
【図４】
2008048576.tif 000006
【図５】
2008048576.tif 000007
【図６】
2008048576.tif 000008
【図７】
2008048576.tif 000009
【図８】
2008048576.tif 000010
【図９】
2008048576.tif 000011
【図１０】
2008048576.tif 000012
【図１１】
2008048576.tif 000013